(57)【要約】【課題】テープの切れ味を落とすことなく、安全性を確保できるテープ用カッター及びテープディスペンサを提供する。【解決手段】テープを切断するテープ用カッター３０であって、薄板状の一辺に複数の凸状歯３１が形成されており、凸状歯３１は、歯先辺３１ａと、歯先辺３１ａの両側に連なる側辺３１ｂ，３１ｃとを有し、歯先辺３１ａは、歯元３１ｄに向かって湾曲又は屈曲している。また、テープ用カッター３０と、ロール状に巻かれたテープを保持するテープホルダと、テープ用カッター３０を保持するカッターホルダと、を備えるテープディスペンサであって、カッターホルダは、テープ用カッター３０を、引き出されたテープに交差する状態又は平行な状態で保持する。【選択図】図２
2018079553.tif 000002
【特許請求の範囲】
【請求項１】
テープを切断するテープ用カッターであって、
薄板状の一辺に複数の凸状歯が形成されており、
前記凸状歯は、歯先辺と、前記歯先辺の両側に連なる側辺とを有し、
前記歯先辺は、歯元に向かって湾曲又は屈曲している
ことを特徴とするテープ用カッター。
【請求項２】
前記歯先辺の最大湾曲量又は最大屈曲量は、０．１ｍｍ以下であるか、又は、前記側辺の長さの１／５以下である
ことを特徴とする請求項１に記載のテープ用カッター。
【請求項３】
前記凸状歯は、２つの前記側辺を互いに平行に有する
ことを特徴とする請求項１又は２に記載のテープ用カッター。
【請求項４】
請求項１から３までのいずれか１項に記載のテープ用カッターと、
ロール状に巻かれたテープを保持するテープホルダと、
前記テープ用カッターを保持するカッターホルダと、を備えるテープディスペンサであって、
前記カッターホルダは、前記テープ用カッターを、引き出された前記テープに交差する状態又は平行な状態で保持する
ことを特徴とするテープディスペンサ。
【発明の詳細な説明】
【技術分野】
【０００１】
本発明は、テープを切断するテープ用カッター及びテープディスペンサに関する。
【背景技術】
【０００２】
セロハンテープなどの粘着テープや、修正テープのようにロール状に巻かれたテープをテープホルダに保持したテープディスペンサが知られている。このテープディスペンサは、カッターを備えており、使用者が所定長さでテープを切断している。
【０００３】
従来のテープ用カッターの歯は、鋸歯型で先端が鋭利な形状をしており（特許文献１参照）、テープを容易に切断することができるが、衣服の袖口がテープ用カッターに接触すると、破けたり、裂けたりすることがあり、また、使用者の指先など身体がテープ用カッターに接触すると、切って傷つけることがあった。そこで、テープ用カッターの歯を、鋸歯型でなく、先端が平坦な形状にしたものが考えられている（特許文献２の図１及び図１１参照）。
【先行技術文献】
【特許文献】
【０００４】
【特許文献１】実開昭５７−１４１９５２号公報
【特許文献２】特開２０１０−０３００３１号公報
【発明の概要】
【発明が解決しようとする課題】
【０００５】
しかしながら、特許文献２にみられるようにテープ用カッターの歯先を平坦にすると、やはり線接触することになり、テープの切れ味が悪くなるため、テープ用カッターの歯先は、特殊な追加加工が必要になっていた。
【０００６】
そこで、本発明は、以上の課題に鑑みてなされたものであり、テープの切れ味を落とすことなく、安全性を確保できるテープ用カッター及びテープディスペンサを提供することを目的とする。
【課題を解決するための手段】
【０００７】
（１）本発明に係る一つの態様は、テープを切断するテープ用カッターであって、薄板状の一辺に複数の凸状歯が形成されており、前記凸状歯は、歯先辺と、前記歯先辺の両側に連なる側辺とを有し、前記歯先辺は、歯元に向かって湾曲又は屈曲している。
（２）上記（１）の態様において、前記歯先辺の最大湾曲量又は最大屈曲量は、０．１ｍｍ以下であるか、又は、前記側辺の長さの１／５以下であってもよい。
（３）上記（１）又は（２）の態様において、前記凸状歯は、２つの前記側辺を互いに平行に有していてもよい。
（４）本発明に係る別の一つの態様は、上記（１）から（３）までのいずれか１つの態様のテープ用カッターと、ロール状に巻かれたテープを保持するテープホルダと、前記テープ用カッターを保持するカッターホルダと、を備えるテープディスペンサであって、前記カッターホルダは、前記テープ用カッターを、引き出された前記テープに交差する状態又は平行な状態で保持する。
【発明の効果】
【０００８】
本発明によれば、テープの切れ味を落とすことなく、安全性を確保できるテープ用カッター及びテープディスペンサを提供することができる。
【図面の簡単な説明】
【０００９】
【図１】テープディスペンサを示す斜視図である。
【図２】本発明の実施形態に係るテープ用カッターの拡大平面図である。
【図３】テープディスペンサの変形例１を示す斜視図である。
【図４】テープディスペンサの変形例２を示す斜視図である。
【図５】テープディスペンサの変形例３を示す斜視図である。
【発明を実施するための形態】
【００１０】
以下、本発明の実施形態について、図面を参照して詳細に説明する。なお、本明細書の実施形態においては、全体を通じて、同一の部材には同一の符号を付している。
図１は、テープディスペンサ１を示す斜視図である。図２は、本発明の実施形態に係るテープ用カッター３０の拡大平面図である。
【００１１】
テープディスペンサ１は、図１に示されるように、テープホルダ２と、カッターホルダ３と、を一体に備え、側面視でカタツムリのような形状になっている。
【００１２】
テープホルダ２は、ロール状に巻かれたテープ４、例えば、セロハンテープなどの粘着テープをリール２１に装着した状態で保持するものである。テープホルダ２には、図示されないＬ字状の溝が、テープ４を保持する空間の内壁面に形成されており、リール２１の軸心が、嵌まるように構成されている。そして、使用者がテープ４の先端を引き出すと、テープホルダ２に保持されたリール２１が回転し、テープ４を巻き戻すようになっている。
【００１３】
また、リール２１に装着されるテープ４の幅は、代表的には１５ｍｍ、１８ｍｍ、４８ｍｍなどがあり、テープ４の巻芯（コア）の内径（呼び径）は、２５ｍｍ、７５ｍｍ、７６．２ｍｍなどがあるため、リール２１は、それぞれのテープ４に対応した幅及び外径で形成されるが、テープ４の巻芯が装着できれば外形の形状は、円形状でも多角形でもよい。
【００１４】
カッターホルダ３は、本発明の実施形態に係るテープ用カッター３０を保持するものである。このカッターホルダ３は、テープ用カッター３０を、リール２１から引き出されたテープ４に交差する状態、好ましくは略直交する状態で保持する。テープ用カッター３０のカッターホルダ３への保持は、ネジ止め、カシメなどの固着手段で行われる。
【００１５】
ここで、テープディスペンサ１の側面視における、リール２１及びテープ用カッター３０の高さ位置について説明すると、テープ用カッター３０の歯先辺３１ａは、リール２１の軸心よりも高く、リール２１の外径の頂点よりも低い高さに位置する。テープ用カッター３０を、このような位置に保持することで、歯先辺３１ａの向きが、リール２１から引き出されたテープ４に略直交（又は鋭角に交差）する方向となり、テープ４を下方に引下げる力を利用して、効率よく切断することができる。
【００１６】
テープ用カッター３０は、引き出されたテープ４を切断するもので、図２（ａ）に示されるように、薄板状の一辺に複数の凸状歯３１が連続して形成されている。テープ用カッター３０は、本実施形態では、薄板（平板）状のままで保持されるが、複数の凸状歯３１が形成された一辺と平行な線で折曲げられて、保持されてもよい。このテープ用カッター３０は、好ましくはステンレス鋼製又はバネ鋼、より好ましくはＳＵＳ３０４  １／２Ｈ製の薄板で製造されている。
【００１７】
テープ用カッター３０の厚みは、０．２ｍｍから０．５ｍｍ程度である。というのも、厚みが０．１ｍｍ以下になると、テープ４の切れ味は良好になるが、テープ用カッター３０の表裏面に直交する方向の外力が作用すると、容易に折曲がることがあり、切断したテープ４の端部が、直線状にならなかったり、折曲がった部分で指先を傷つけたりし、一方、厚みが０．６ｍｍ以上になると、接触面積が大きくなり、凸状歯３１がテープ４に食い込み難くなるためである。
【００１８】
凸状歯３１は、図２（ｂ）に示されるように、歯先辺３１ａと、歯先辺３１ａの両側に連なる側辺３１ｂ，３１ｃとを有している。この歯先辺３１ａは、歯元３１ｄに向かって円弧状に湾曲している。また、歯先辺３１ａの最大湾曲量Ｄは、０．１ｍｍ以下であるか、又は、側辺３１ｂ，３１ｃの長さの１／５以下である。なお、歯先辺３１ａは、歯元３１ｄに向かってＶ字状又は円弧状に多段で屈曲していてもよく、この場合も、最大屈曲量Ｄは、０．１ｍｍ以下である。
【００１９】
また、凸状歯３１の２つの側辺３１ｂ，３１ｃは、互いに平行に形成されているが、歯元３１ｄ側が広がる略台形状に形成されてもよい。ただし、凸状歯３１が略台形状に形成されると、歯先辺３１ａと側辺３１ｂ，３１ｃとで形成される隅部３１ｅが、やや鋭利な形状でなくなる。
【００２０】
ここで、凸状歯３１の各部の寸法について、補足説明すると、歯幅Ｗは０．４ｍｍから０．６ｍｍ程度で、歯高Ｈは０．４ｍｍから０．６ｍｍ程度で、歯間ピッチＰは０．４ｍｍから０．６ｍｍ程度である。これらの各寸法は、切断するテープ４の厚みやテープ用カッター３０の全幅に応じて設定される。
【００２１】
なお、本実施形態では、厚みを０．３ｍｍ、歯幅Ｗを０．５ｍｍ、歯高Ｈを０．５ｍｍ、最大湾曲量Ｄを０．１ｍｍ、歯間ピッチＰを０．５ｍｍに設定した。この場合、テープ４の幅が１５ｍｍであると、約１５個の凸状歯３１で、テープ４を切断することになる。また、テープ用カッター３０の高さ（歯先辺３１ａから歯元３１ｄへの方向）を、２０ｍｍに設定した。
【００２２】
つぎに、このテープ用カッター３０の製造方法について説明する。
（Ｓ１）テープ用カッター３０の原材料である薄板を、所定の長さの矩形状に切出す。
（Ｓ２）薄板に対して、脱脂及び洗浄を行い、表面に付着した油や汚れ、また、金属酸化物（錆）などを除去する。
（Ｓ３）薄板を、レジスト液に浸漬するか、塗布して、薄板の両面に、レジスト感光膜を塗布する。
（Ｓ４）薄板の両面に塗布されたレジスト感光膜に対して、凸状歯３１の形状パターンを露光機で露光する。
（Ｓ５）薄板のレジスト感光膜を現像し、未現像部分の薄板の表面を露出させる。
（Ｓ６）薄板を、エッチング液に浸漬するか、塗布して、未現像部分の薄板の金属材料を溶解除去する。
（Ｓ７）最後に、薄板上に残ったレジスト感光膜を、剥離し、薄板を洗浄する。
【００２３】
このようにして、テープ用カッター３０は、薄板の一辺側に、凸状歯３１がエッチング加工により形成され、製造されている。そして、凸状歯３１は、プレス加工でなく、エッチング加工により形成されるため、テープ用カッター３０を任意の長さで、高精度に製造することができる。
【００２４】
以上のとおり、本発明の実施形態に係るテープ用カッター３０は、テープ４を切断するテープ用カッター３０であって、薄板状の一辺に複数の凸状歯３１が連続して形成されており、凸状歯３１は、歯先辺３１ａと、歯先辺３１ａの両側に連なる側辺３１ｂ，３１ｃとを有し、歯先辺３１ａは、歯元３１ｄに向かって湾曲又は屈曲している。
【００２５】
これにより、使用者が引き出されたテープ４を切断しようとすると、テープ４は、まず凸状歯３１の隅部３１ｅに接触し、微小な孔が複数穿設され、湾曲した歯先辺３１ａに沿って孔が広がるとともに、広がった孔同士の間で亀裂が進行するため、テープ４がきれいに切断される。また、使用者の指先などが、凸状歯３１の先端（歯先辺３１ａ）に接触したとしても、少なくとも２か所の隅部３１ｅに接触するため、指先に凸状歯３１が湾曲した最大湾曲量Ｄ以上に喰い込むことがないから、深い傷を与えるようなことが起きない。よって、テープ４の切れ味を落とすことなく、安全性を確保することができる。
【００２６】
実施形態では、凸状歯３１は、２つの側辺３１ｂ，３１ｃを互いに平行に有している。これにより、凸状歯３１のピッチを小さくすることができるとともに、凸状歯３１の形状を単純なものとし、容易に形成することができる。
【００２７】
実施形態では、歯先辺３１ａの最大湾曲量Ｄ又は最大屈曲量Ｄは、０．１ｍｍ以下であるか、又は、側辺３１ｂ，３１ｃの長さの１／５以下である。これにより、指先が凸状歯３１の先端（歯先辺３１ａ）に接触したとしても、指先に凸状歯３１が０．１ｍｍ以上に喰い込むことがないから、深い傷を与えるようなことが起きない。
【００２８】
実施形態では、テープ用カッター３０と、ロール状に巻かれたテープ４を保持するテープホルダ２と、テープ用カッター３０を保持するカッターホルダ３と、を備えるテープディスペンサ１であって、カッターホルダ３は、テープ用カッター３０を、引き出されたテープ４と交差する状態で保持する。これにより、テープ４を容易に切断することができる。
【００２９】
（変形例）
図３は、テープディスペンサ１の変形例１を示す斜視図であり、図４は、テープディスペンサ１の変形例２を示す斜視図であり、図５は、テープディスペンサ１の変形例３を示す斜視図である。
上記実施形態では、テープディスペンサ１は、ロール状に巻かれたテープ４をリール２１上に１個のみ装着するものであったが、テープ用カッター３０やリール２１の幅を広げて、図３の変形例１に示すように、ロール状に巻かれたテープ４をリール２１上に２個以上装着するように構成してもよく、また、図４の変形例２に示すように、ロール状に巻かれた幅の異なるテープ４をリール２１上に２個又は３個以上装着するように構成してもよい。このように、テープ用カッター３０で、複数のテープ４を切断する場合は、テープ用カッター３０の幅（長さ）は広くなる。
【００３０】
このとき、複数のテープ４を同時に切断することは、実質的に行わないため、テープ４を切断するテープ用カッター３０の凸状歯３１以外の領域の凸状歯３１に、指先が接触する可能性が高まるが、接触したとしても、上述したように、指先に傷を与えるようなことが起きない。
【００３１】
上記実施形態では、テープディスペンサ１のカッターホルダ３は、テープ用カッター３０を、引き出されたテープ４と交差する状態で保持したが、図５の変形例３に示すようにテープ用カッター３０を、引き出されたテープ４と略平行な状態で保持するように構成してもよい。このようにテープ用カッター３０を保持すると、凸状歯３１が上方を向くことがなく、テープディスペンサ１の使用者に、恐怖心を与えることがない。
【００３２】
そして、テープ用カッター３０の凸状歯３１が、引き出されたテープ４と略平行な状態で保持されていても、使用者が引き出されたテープ４を切断しようとすると、テープ４は、凸状歯３１の隅部３１ｅに接触し、微小な孔が複数穿設され、孔同士の間で亀裂が進行するため、テープ４がきれいな直線状に切断される。
【００３３】
上記実施形態では、テープディスペンサ１は、テープホルダ２とカッターホルダ３とが一体化されていたが、作業テープルなどの上に、テープホルダ２とカッターホルダ３とが別々に備えられてもよい。また、リール２１に代えて、パイプ又は棒を採用し、ロール状に巻かれたテープ４が自由に回転するように構成してもよい。
【００３４】
上記実施形態では、テープ用カッター３０は、粘着テープなどのテープ４を切断するものとしたが、修正テープや紙テープなどのテープ４を切断するようなものに適用してもよく、アルミ箔や食品のラップフィルムを切断するようなものに適用してもよい。また、テープディスペンサ１は、事務機器としてだけでなく、梱包・包装を行う作業現場で、テープ４の貼付け作業の補助として利用してもよい。
【００３５】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００３６】
１      テープディスペンサ
２      テープホルダ
２１    リール
３      カッターホルダ
３０    テープ用カッター
３１  凸状歯、３１ａ  歯先辺、３１ｂ，３１ｃ  側辺、３１ｄ  歯元、３１ｅ  隅部
４      テープ
【図１】
2018079553.tif 000003
【図２】
2018079553.tif 000004
【図３】
2018079553.tif 000005
【図４】
2018079553.tif 000006
【図５】
2018079553.tif 000007